【手続補正書】
【提出日】平成30年6月28日(2018.6.28)
【手続補正１】
【補正対象書類名】特許請求の範囲
【補正対象項目名】請求項１
【補正方法】変更
【補正の内容】
【請求項１】
車両に搭載され、車両情報を取得する車載機（３）と、
前記車載機（３）と無線または有線で接続される携帯情報端末（４）と、
前記携帯情報端末（４）と無線で接続される情報管理センタのセンタ側情報処理装置（５）とを備え、
前記携帯情報端末（４）は、前記車載機（３）から前記車両情報を受信する機能と、受信した前記車両情報を表示部（１３）に表示する機能と、受信した前記車両情報を前記センタ側情報処理装置（５）へ送信する機能とを有し、
前記センタ側情報処理装置（５）は、前記携帯情報端末（４）から前記車両情報を受信する機能と、受信した前記車両情報をサーバ側記憶部（２１）に記憶する機能とを有し、
前記携帯情報端末（４）は、前記車載機（３）と接続されていないときに、前記センタ側情報処理装置（５）から前記車両情報を受信する機能と、受信した前記車両情報を表示部（１３）に表示する機能とを有し、
前記携帯情報端末（４）は、前記車載機（３）から受信した車両情報を、前記携帯情報端末（４）内の端末側記憶部（１７）内に記憶させ、前記携帯情報端末（４）により車両情報を表示する場合、前記端末側記憶部（１７）内に記憶されている車両情報を表示する機能を有するように構成された車両用通信システム。
【手続補正２】
【補正対象書類名】特許請求の範囲
【補正対象項目名】請求項６
【補正方法】変更
【補正の内容】
【請求項６】
車両に搭載され、車両情報を取得する車載機（３）と、
前記車載機（３）と無線または有線で接続される携帯情報端末（４）と、
前記携帯情報端末（４）と無線で接続される情報管理センタのセンタ側情報処理装置（５）とを備え、
前記携帯情報端末（４）は、前記車載機（３）から前記車両情報を受信する機能と、受信した前記車両情報を表示部（１３）に表示する機能と、受信した前記車両情報を前記センタ側情報処理装置（５）へ送信する機能とを有し、
前記センタ側情報処理装置（５）は、前記携帯情報端末（４）から前記車両情報を受信する機能と、受信した前記車両情報をサーバ側記憶部（２１）に記憶する機能とを有し、
前記携帯情報端末（４）は、前記車載機（３）と接続されていないときに、前記センタ側情報処理装置（５）から前記車両情報を受信する機能と、受信した前記車両情報を表示部（１３）に表示する機能とを有し、
前記携帯情報端末（４）は、前記車載機（３）から受信した車両情報を、前記携帯情報端末（４）内の端末側記憶部（１７）内に記憶させ、前記携帯情報端末（４）により車両情報を表示する場合、前記端末側記憶部（１７）内に記憶されている車両情報を表示する機能を有するように構成された車両用通信システムに用いる車載機（３）であって、
車両情報が更新されたときに、更新された車両情報を記憶する車両側記憶部（１０）と、
携帯情報端末（４）と接続されているときに、前記車両側記憶部（１０）に記憶されている車両情報の中の未送信の車両情報を前記携帯情報端末（４）へ送信する送信部（１１）とを備えた車載機。
【手続補正３】
【補正対象書類名】特許請求の範囲
【補正対象項目名】請求項７
【補正方法】変更
【補正の内容】
【請求項７】
車両情報を取得する車両側情報処理装置（３）と、
前記車両側情報処理装置（３）と無線または有線で接続される携帯情報端末（４）と、
前記携帯情報端末（４）と無線で接続される情報管理センタのセンタ側情報処理装置（５）とを備え、
前記携帯情報端末（４）は、前記車両側情報処理装置（３）から前記車両情報を受信する機能と、受信した前記車両情報を前記サーバ（５）へ送信する機能とを有し、
前記センタ側情報処理装置（５）は、前記携帯情報端末（４）から前記車両情報を受信する機能と、受信した前記車両情報をサーバ側記憶部（２１）に記憶する機能とを有し、
前記携帯情報端末（４）は、前記車両側情報処理装置（３）と接続されていないときに、前記センタ側情報処理装置（５）から前記車両情報を受信する機能と、受信した前記車両情報を表示部（１３）に表示する機能と、前記車両情報を表示する際に最新のデータではない可能性がある旨のメッセージを表示する機能とを有し、
前記携帯情報端末（４）は、前記車両側情報処理装置（３）から受信した車両情報を、前記携帯情報端末（４）内の端末側記憶部（１７）内に記憶させ、前記携帯情報端末（４）により車両情報を表示する場合、前記端末側記憶部（１７）内に記憶されている車両情報を表示する機能を有するように構成された車両用通信システム。
【手続補正４】
【補正対象書類名】明細書
【補正対象項目名】０００６
【補正方法】変更
【補正の内容】
【０００６】
請求項１の発明は、車両に搭載され、車両情報を取得する車載機（３）と、前記車載機（３）と無線または有線で接続される携帯情報端末（４）と、前記携帯情報端末（４）と無線で接続される情報管理センタのセンタ側情報処理装置（５）とを備え、前記携帯情報端末（４）は、前記車載機（３）から前記車両情報を受信する機能と、受信した前記車両情報を表示部（１３）に表示する機能と、受信した前記車両情報を前記センタ側情報処理装置（５）へ送信する機能とを有し、前記センタ側情報処理装置（５）は、前記携帯情報端末（４）から前記車両情報を受信する機能と、受信した前記車両情報をサーバ側記憶部（２１）に記憶する機能とを有し、前記携帯情報端末（４）は、前記車載機（３）と接続されていないときに、前記センタ側情報処理装置（５）から前記車両情報を受信する機能と、受信した前記車両情報を表示部（１３）に表示する機能とを有し、前記携帯情報端末（４）は、前記車載機（３）から受信した車両情報を、前記携帯情報端末（４）内の端末側記憶部（１７）内に記憶させ、前記携帯情報端末（４）により車両情報を表示する場合、前記端末側記憶部（１７）内に記憶されている車両情報を表示する機能を有するように構成されたものである。
【手続補正５】
【補正対象書類名】明細書
【補正対象項目名】０００７
【補正方法】変更
【補正の内容】
【０００７】
請求項７の発明は、車両情報を取得する車両側情報処理装置（３）と、前記車両側情報処理装置（３）と無線または有線で接続される携帯情報端末（４）と、前記携帯情報端末（４）と無線で接続される情報管理センタのセンタ側情報処理装置（５）とを備え、前記携帯情報端末（４）は、前記車両側情報処理装置（３）から前記車両情報を受信する機能と、受信した前記車両情報を前記サーバ（５）へ送信する機能とを有し、前記センタ側情報処理装置（５）は、前記携帯情報端末（４）から前記車両情報を受信する機能と、受信した前記車両情報をサーバ側記憶部（２１）に記憶する機能とを有し、前記携帯情報端末（４）は、前記車両側情報処理装置（３）と接続されていないときに、前記センタ側情報処理装置（５）から前記車両情報を受信する機能と、受信した前記車両情報を表示部（１３）に表示する機能と、前記車両情報を表示する際に最新のデータではない可能性がある旨のメッセージを表示する機能とを有し、前記携帯情報端末（４）は、前記車両側情報処理装置（３）から受信した車両情報を、前記携帯情報端末（４）内の端末側記憶部（１７）内に記憶させ、前記携帯情報端末（４）により車両情報を表示する場合、前記端末側記憶部（１７）内に記憶されている車両情報を表示する機能を有するように構成されたものである。